(57)【要約】【課題】階上の重みを受ける部分を通る壁体内通気が可能であるとともに、高温環境に晒されても強度を保持することが可能な建物の壁体を提供することにある。【解決手段】床下空間と小屋裏空間とを連通する壁体内通気路１７を断熱層１５の内側に有した建物の壁体１１を前提とする。建物の外周に沿って水平方向に置かれて階上の重みを受ける支持材（端根太５３,転び止め５４）と、これに連結金具で打ち付けられた複数のスペーサとを、壁体内通気路１７の高さ方向中間に配置する。支持材及びスペーサにより連通路７１を形成する。この連通路７１を介して支持材を境に隣接した壁体内通気路１７の階下側通気路部分２１と階上側通気路部分４１とを連通する。スペーサを熱収縮が木材に比較して小さくかつ金属より熱伝導性が小さい耐熱材料で形成したことを特徴としている。【選択図】      図４
2005290693.tif 000002
【特許請求の範囲】
【請求項１】
床下空間と小屋裏空間とを連通する壁体内通気路を断熱層の内側に有した建物の壁体において、
建物の外周に沿って水平方向に置かれて重みを受ける支持材と、この支持材に連結金具で打ち付けられ前記支持材とともに連通路を形成するスペーサとを備え、前記連通路で、前記支持材を境に隣接した前記壁体内通気路の階上側通気路部分と階下側通気路部分、又は前記支持材を境に隣接した前記壁体内通気路と前記床下空間、若しくは前記支持材を境に隣接した前記壁体内通気路と前記小屋裏空間を連通したことを特徴とする建物の壁体。
【請求項２】
前記スペーサを熱収縮が木材に比較して小さくかつ金属より熱伝導性が小さい耐熱材料で形成したことを特徴とする請求項１に記載の建物の壁体。
【請求項３】
床下空間と小屋裏空間とを連通する壁体内通気路を断熱層の内側に有した建物の壁体において、
建物の外周に沿って水平方向に置かれて重みを受ける支持材を備え、この支持材の側面に連結金具が打ち付けられる凸部からなるスペーサとこのスペーサに隣接した溝からなる連通路とを形成し、前記連通路で、前記支持材を境に隣接した前記壁体内通気路の階上側通気路部分と階下側通気路部分、又は前記支持材を境に隣接した前記壁体内通気路と前記床下空間、若しくは前記支持材を境に隣接した前記壁体内通気路と前記小屋裏空間を連通したことを特徴とする建物の壁体。
【請求項４】
所定温度以下では前記連通路を開いた状態に維持し、所定温度を超える温度では前記連通路を閉じるように発泡膨張する閉塞要素を、前記連通路に設けたことを特徴とする請求項１から３の内のいずれが１項に記載の建物の壁体。
【請求項５】
床下空間と小屋裏空間とを連通する壁体内通気路を断熱層の内側に有した建物の壁体において、
建物の外周に沿って水平方向に置かれて重みを受ける支持材と、この支持材に連結金具で打ち付けられ前記支持材とともに連通路を形成しかつ金属より熱伝導性が小さい材料で形成されたスペーサとを備え、前記連通路で、前記支持材を境に隣接した前記壁体内通気路の階上側通気路部分と階下側通気路部分、又は前記支持材を境に隣接した前記壁体内通気路と前記床下空間、若しくは前記支持材を境に隣接した前記壁体内通気路と前記小屋裏空間を連通し、前記スペーサと前記支持材との間に金属より熱伝導性が小さい材料からなる熱膨張材を挟設したことを特徴とする建物の壁体。
【請求項６】
所定温度以下では前記連通路を開いた状態に維持し、所定温度を超える温度では前記連通路を閉じるように発泡膨張する閉塞要素を前記連通路に設け、この閉塞要素の一部を前記熱膨張材として用いたことを特徴とする請求項５に記載の建物の壁体。
【請求項７】
床下空間と小屋裏空間とを連通する壁体内通気路を断熱層の内側に有した建物の壁体において、
建物の外周に沿って水平方向に置かれて階上の重みを受ける支持材と、この支持材に連結金具で打ち付けられ前記支持材とともに連通路を形成しかつ金属より熱伝導性が小さい材料で形成された複数のスペーサとを備え、前記連通路で、前記支持材を境に隣接した前記壁体内通気路の階上側通気路部分と階下側通気路部分、又は前記支持材を境に隣接した前記壁体内通気路と前記床下空間、若しくは前記支持材を境に隣接した前記壁体内通気路と前記小屋裏空間を連通し、
所定温度以下では前記連通路を開いた状態に維持し、所定温度を超える温度では前記連通路を閉じるように発泡膨張する閉塞要素の一部を、前記連通路に臨ませ前記支持材の長手方向に沿って連続して設けるとともに、この閉塞要素を、前記支持材とこの支持材に打ち付けられた部材との間に挟設したことを特徴とする建物の壁体。
【請求項８】
請求項１から７の内のいずれか１項に記載の壁体を具備した建物。
【発明の詳細な説明】
【技術分野】
【０００１】
本発明は、壁体の断熱をする断熱材の内側に床下空間と小屋裏空間との通気をとる壁体内通気路を有した建物の壁体、並びにこの壁体を備える木造住宅等の建物に関する。
【背景技術】
【０００２】
従来、断熱を施した住宅で、火災発生時に壁体内通気路を通って階上に延焼することを抑制するために、熱に感応して流通を遮断する防火遮断板を壁体内通気路に配設する技術が知られている（例えば、特許文献１参照。）。
【０００３】
特許文献１の技術では、階上重量を支持する端根太などの支持材を避けて設けられた壁体内通気路に防火遮断板を取付け，この遮断板は複数の通気孔を有しているとともに各通気孔の内側に加熱によって発泡する無機質発泡体を設けている。この技術では、非火災時には通気孔により規制された通気断面積を確保して壁体内通気を可能とし、火災発生時には無機質発泡体の発泡により通気孔が閉じて、火炎が壁体内通気路を伝って他の空間に回って延焼することを抑制可能である。
【特許文献１】特開平８−１３５０３８号公報（段落0005−0018、図１−図４）
【発明の開示】
【発明が解決しようとする課題】
【０００４】
特許文献１の防火遮断板は、壁体内通気路の断面形状に合わせて作られて、壁体内通気路を構成する柱などに取付け施工される。このため、建物の壁体を作る際の手間が増えて、コスト高になる。しかも、通路断面積が大きな壁体内通気路の内面と防火遮断板の周縁とを確実に密着させて、防火遮断板を取付け施工することは困難であるから、合わせ目に隙間が生じ易いとともに、経年変化に伴う建物の歪み等などにより隙間が生じる可能性も高い。これにより、火災発生時に、火炎が前記隙間を通る可能性を否定できないので、階上への延焼を抑制する信頼性が低い。
【０００５】
又、特許文献１は、壁体内通気路の流通を火災発生時に遮断する技術を開示しているに過ぎず、壁体内通気路に火炎が及んだ場合に、建物の強度を保持することについては言及していない。
【０００６】
二階建て以上の木造住宅は、階下と階上との間に位置し、住宅の外周に沿って水平方向に置かれた端根太や側根太等の支持材で、階上の重みを受けている。この支持材に打ち込まれた多数の金釘は、転び止めや添え側根太等の壁材、及び床根太等との連結を担っていて、この連結が所定の状態に維持されることで、建物の強度が保持されている。したがって、火災発生時に壁体内通気路を通る火炎等によって前記金釘が異常な熱変形を起こした場合には、建物の強度を保持できなくなる可能性が考えられるので、こうした点にも配慮して壁体内通気をする壁体を構成することが要請されている。
【０００７】
本発明の目的は、壁体内通気が可能であるとともに、高温環境に晒されても強度を保持することが可能な建物の壁体及びこの壁体を備えた建物を提供することにある。
【課題を解決するための手段】
【０００８】
前記課題を解決するために、本発明に係る建物の壁体は、床下空間と小屋裏空間とを連通する壁体内通気路を断熱層の内側に有した建物の壁体において、建物の外周に沿って水平方向に置かれて重みを受ける支持材と、この支持材に連結金具で打ち付けられ前記支持材とともに連通路を形成するスペーサとを備え、前記連通路で、前記支持材を境に隣接した前記壁体内通気路の階上側通気路部分と階下側通気路部分、又は前記支持材を境に隣接した前記壁体内通気路と前記床下空間、若しくは前記支持材を境に隣接した前記壁体内通気路と前記小屋裏空間を連通したことを特徴としている。
【０００９】
本発明及び以下の発明で、支持材とは、端根太又はこの端根根太と合せ張りされる端根太転び止め或いはこれらと平行に配置される転び止め、側根太又はこの側根太と合せ張りされる添え側根太或いはこれらと平行に配置される床受け根太、及び床根太等が連結される胴差し等の内で、少なくとも端根太、転び止め、側根太、及び床受け根太を含んでいる。本発明及び以下の発明で、連結金具とは階上又は屋根或いは壁体等の重みを受けて支える（以下、この事項を、階上等の重みを受ける、と略称する。）事故上を構造を組立るため使用される金属製の連結具を指しており、代表的には金釘を例示できる。本発明でスペーサとは、支持材の上下に開放する連通路を規定するための部材を指しており、連結金具を打ち付け可能で、好ましくは低収縮性及び低熱伝導性並びに耐熱性を有した材料で作るとよく、その材料として無機質材料を主体として作られたものを好適に例示できる。
【００１０】
本発明では、例えば階上等の重みを受ける支持材と、これに連結金具で打ち付けられたスペーサとにより形成された連通路により、階上側通気路部分と階下側通気路部分、又は壁体内通気路と床下空間、若しくは壁体内通気路と小屋裏空間を連通したので、断熱層の内側で床下空間から小屋裏空間とにわたる通気が可能である。そして、壁体内通気路の連通路を確保するスペーサを通って連結金具が打ち付けられているので、火災発生時等に万一連通路が火炎などにより高温環境となっても、スペーサによって連結金具が高温に晒されないよう保護して、連結金具の熱劣化を抑制できる。この結果、例えば階上等の重みを受ける支持材回りの強度低下が抑制されるので、火災発生時等に高温環境に晒されても、建物の強度を保持することが可能である。
【００１１】
又、本発明の好ましい形態では、前記スペーサを熱収縮が木材に比較して小さくかつ金属より熱伝導性が小さい耐熱材料で形成するとよい。
【００１２】
この発明の形態では、スペーサが、熱収縮が木材に比較して小さくかつ金属より熱伝導性が小さい耐熱材料で形成されているので、火災時に、スペーサとこれに隣接した支持材等の部材との間に熱収縮による隙間ができることを抑制して、高温が連結金具に及ぶことを抑制できるとともに、スペーサがその周囲の高温の熱を連結金具に伝導することも抑制でき、かつ、耐熱性によりスペーサが焼失することもなく、既述の抑制作用を維持できる。このように連結金具の熱劣化が抑制される結果、例えば階上等の重みを受ける支持材回りの強度低下が抑制されるので、火災発生時等に高温環境に晒されても、建物の強度を保持することが可能である。
【００１３】
又、前記課題を解決するために、本発明に係る建物の壁体は、床下空間と小屋裏空間とを連通する壁体内通気路を断熱層の内側に有した建物の壁体において、建物の外周に沿って水平方向に置かれて重みを受ける支持材を備え、この支持材の側面に連結金具が打ち付けられる凸部からなるスペーサとこのスペーサに隣接した溝からなる連通路とを形成し、前記連通路で、前記支持材を境に隣接した前記壁体内通気路の階上側通気路部分と階下側通気路部分、又は前記支持材を境に隣接した前記壁体内通気路と前記床下空間、若しくは前記支持材を境に隣接した前記壁体内通気路と前記小屋裏空間を連通したことを特徴としている。
【００１４】
本発明では、例えば階上等の重みを受ける支持材の側面に形成された溝部からなる連通路により、階上側通気路部分と階下側通気路部分、又は壁体内通気路と床下空間、若しくは壁体内通気路と小屋裏空間を連通したので、断熱層の内側で床下空間から小屋裏空間とにわたる通気が可能である。そして、溝部に隣接した支持材の凸部からなるスペーサに連結金具が打ち付けられているので、火災発生時等に万一連通路が火炎などにより高温環境となっても、スペーサとして機能する凸部によって連結金具が高温に晒されないよう保護して、連結金具の熱劣化を抑制できる。この結果、例えば階上等の重みを受ける支持材回りの強度低下が抑制されるので、火災発生時等に高温環境に晒されても、建物の強度を保持することが可能である。
【００１５】
更に、本発明の好ましい形態では、所定温度以下では前記連通路を開いた状態に維持し、所定温度を超える温度では前記連通路を閉じるように発泡膨張する閉塞要素を、前記連通路に設けるとよい。
【００１６】
この発明の形態では、火災時に熱で閉塞要素が加熱されてその温度が所定温度を超えると、閉塞要素が発泡膨張して連通路を通る通気を断つことができる。この場合、規制された通気断面積を確保する連通路が例えば階上等の重みを受ける支持材回りに形成されているので、規制された通気断面積を確保するための部材を取付ける手間を要しないとともに、例えば階上等の重みを受ける支持材回りは変形などを起こしづらいように強固に作られているので、火災時に閉塞要素の発泡膨張によって連通路の通気を断つ性能に優れている。
【００１７】
又、前記課題を解決するために、本発明に係る建物の壁体は、床下空間と小屋裏空間とを連通する壁体内通気路を断熱層の内側に有した建物の壁体において、建物の外周に沿って水平方向に置かれて重みを受ける支持材と、この支持材に連結金具で打ち付けられ前記支持材とともに連通路を形成しかつ金属より熱伝導性が小さい材料で形成されたスペーサとを備え、前記連通路で、前記支持材を境に隣接した前記壁体内通気路の階上側通気路部分と階下側通気路部分、又は前記支持材を境に隣接した前記壁体内通気路と前記床下空間、若しくは前記支持材を境に隣接した前記壁体内通気路と前記小屋裏空間を連通し、前記スペーサと前記支持材との間に金属より熱伝導性が小さい材料からなる熱膨張材を挟設したことを特徴としている。
【００１８】
本発明で、スペーサには、無機質材料を主とした材料を好適に使用できるが、木材を用いることもできる。木製のスペーサを用いる場合には、このスペーサが所定時間高温に晒されても、連結金物を連通路に露出させないだけの燃え代を予め考慮した大ききに木製スペーサを形成して用いればよい。
【００１９】
本発明では、例えば階上等の重みを受ける支持材と、これに連結金具で打ち付けられたスペーサとにより形成された連通路により、階上側通気路部分と階下側通気路部分、又は壁体内通気路と床下空間、若しくは壁体内通気路と小屋裏空間を連通したので、断熱層の内側で床下空間から小屋裏空間とにわたる通気が可能である。そして、壁体内通気路の連通路を確保するスペーサを通って連結金具が打ち付けられているので、火災発生時等に連通路が火炎などにより高温環境となっても、この高温から連結金具をスペーサ及び熱膨張材によって保護できる。すなわち、火災時の高温によりスペーサが熱収縮する場合には、このスペーサと支持材との間に挟まれた熱膨張材が熱膨張してスペーサを押圧するので、スペーサと支持材との間に隙間ができなくなる。このため、高温が連結金具に及ぶことを抑制されるとともに、スペーサがその周囲の高温の熱を連結金具に伝導することも抑制できる。このように連結金具の熱劣化が抑制される結果、例えば階上等の重みを受ける支持材回りの強度低下が抑制されるので、火災発生時等に高温環境に晒されても、建物の強度を保持することが可能である。
【００２０】
この発明の好ましい形態では、所定温度以下では前記連通路を開いた状態に維持し、所定温度を超える温度では前記連通路を閉じるように発泡膨張する閉塞要素を前記連通路に設け、この閉塞要素の一部を前記熱膨張材として用いるとよい。
【００２１】
この発明の形態では、火災時に熱で閉塞要素が加熱されてその温度が所定温度を超えると、閉塞要素が発泡膨張して連通路を通る通気を断つことができる。この場合、規制された通気断面積を確保する連通路が例えば階上等の重みを受ける支持材回りに形成されているので、規制された通気断面積を確保するための部材を取付ける手間を要しないとともに、例えば階上等の重みを受ける支持材回りは変形などを起こしづらいように強固に作られているので、火災時に閉塞要素の発泡膨張によって連通路の通気を断つ性能に優れている。
【００２２】
又、前記課題を解決するために、本発明に係る建物の壁体は、床下空間と小屋裏空間とを連通する壁体内通気路を断熱層の内側に有した建物の壁体において、建物の外周に沿って水平方向に置かれて階上の重みを受ける支持材と、この支持材に連結金具で打ち付けられ前記支持材とともに連通路を形成しかつ金属より熱伝導性が小さい材料で形成された複数のスペーサとを備え、前記連通路で、前記支持材を境に隣接した前記壁体内通気路の階上側通気路部分と階下側通気路部分、又は前記支持材を境に隣接した前記壁体内通気路と前記床下空間、若しくは前記支持材を境に隣接した前記壁体内通気路と前記小屋裏空間を連通し、所定温度以下では前記連通路を開いた状態に維持し、所定温度を超える温度では前記連通路を閉じるように発泡膨張する閉塞要素の一部を、前記連通路に臨ませ前記支持材の長手方向に沿って連続して設けるとともに、この閉塞要素を、前記支持材とこの支持材に打ち付けられた部材との間に挟設したことを特徴としている。この発明で支持材に打ち付けられた部材としては床根太等の横架材を例示できる。
【００２３】
本発明では、例えば階上等の重みを受ける支持材と、これに連結金具で打ち付けられたスペーサとにより形成された連通路により、階上側通気路部分と階下側通気路部分、又は前記支持材を境に隣接した前記壁体内通気路と前記床下空間、若しくは前記支持材を境に隣接した前記壁体内通気路と前記小屋裏空間を連通したので、断熱層の内側で例えば階上等の重みを受ける部分を通る通気が可能である。そして、壁体内通気路の連通路を確保するスペーサを通って連結金具が打ち付けられているので、火災発生時等に連通路が火炎などにより高温環境となっても、この高温から連結金具をスペーサ及び閉塞要素によって保護できる。すなわち、火災時の高温によりスペーサや支持材が熱収縮する場合には、支持材とこれに打ち付けられたスペーサ等の部材との間に挟まれた閉塞要素が所定温度以上で発泡膨張しスペーサを押圧するので、スペーサ等の部材と支持材との間に隙間ができなくなる。このため、高温が連結金具に及ぶことを抑制できるとともに、スペーサがその周囲の高温の熱を連結金具に伝導することも抑制できる。このように連結金具の熱劣化が抑制される結果、例えば階上等の重みを受ける支持材回りの強度低下が抑制されるので、火災発生時等に高温環境に晒されても、建物の強度を保持することが可能である。しかも、所定温度を超えて前記閉塞要素が発泡膨張すると、この閉塞要素が連通路を塞いでこの連通路を通る通気を断つことができる。この場合、規制された通気断面積を確保する連通路が例えば階上等の重みを受ける支持材回りに形成されているので、規制された通気断面積を確保するための部材を取付ける手間を要しないとともに、例えば階上等の重みを受ける支持材回りは変形などを起こしづらいように強固に作られているので、火災時に閉塞要素の発泡膨張によって連通路の通気を断つ性能に優れている。更に、支持材とこれに打ち付けられた床根太及びスペーサ等の部材との間に閉塞要素を挟んでいるので、長期間にわたって閉塞要素が所定位置から脱落する恐れがないとともに、火災時にも長時間に渡り所定位置に閉塞要素を保持できる。
【００２４】
又、前記課題を解決するために、本発明に係る建物は、前記各発明の内のいずれかの発明に係る壁体を具備しているので、既述の作用を得て、例えば階上等の重みを受ける部分を通して床下空間と小屋裏空間とにわたる通気が可能であるとともに、高温環境に晒されても強度を保持することが可能な壁体を備えた建物を提供できる。
【発明の効果】
【００２５】
本発明によれば、例えば階上等の重みを受ける支持材とこれに連結金具で打ち付けられたスペーサ又は支持材と一体のスペーサとを利用して形成した通気路によって、断熱層の内側で重みを受ける部分を通って床下空間と小屋裏空間とにわたる通気が可能であるとともに、通気路を確保するスペーサ又は支持材と一体のスペーサを利用して連結金具が高温で劣化することを抑制したので、高温環境に晒されても強度を保持することが可能な建物の壁体及びこの壁体を備えた建物を提供できる。
【発明を実施するための最良の形態】
【００２６】
図１〜図８を参照して本発明の第１実施形態に係る断熱・二重通気構造の二階建て木造住宅を説明する。
【００２７】
図１及び図３中に示すように住宅１が備えるコンクリート製の基礎２は、その内側に基礎側床下空間（以下床下空間と略称する。）２ａを形成する。この床下空間２ａを断熱するために、基礎２の主体をなす基礎コンクリートの屋外面又は屋内面の内の少なくとも一方に断熱層２ｂ（図３参照）が被着されている。基礎２は１以上の床下換気口３を有している。この床下換気口３を開閉する床下ダンパー４が基礎２に取付けられている。床下ダンパー４は手動又は電動により任意に開閉される。符号５、６は基礎２上に構築された階下居室として１階居室を示している。符号７、８は１階居室５、６上に構築された階上居室として２階居室を示している。
【００２８】
居室５〜８は住宅１の外郭をなす外被材で被われている。外被材は、壁体１１及び屋根１２等を備えている。壁体１１は１、２階の居室５〜８を囲んで設けられている。屋根１２は壁体１１の上側に連続して設けられていて、この屋根１２と最上階の２階居室７、８との間には小屋裏空間１３が形成されている。
【００２９】
前記外被材は、壁体での断熱のための断熱層１５と、この断熱層１５を間に置いて設けられた外側通気路１６と壁体内通気路１７とを備えている。断熱層には、プラスチック系断熱材例えば独立発泡された発泡ポリスチレンを一層又は複層したボードを好適に使用でき、この他に難燃性又は不燃性のフェノールフォーム、ＡＬＣ、又はグラスウールやロックウールなどの繊維系断熱材を層状としたものも使用可能である。断熱層１５の内側に、居室５〜８、小屋裏空間１３、及び壁体内通気路１７が設けられている。
【００３０】
住宅１の上部に、断熱層１５によって外側通気路１６から区画された小屋裏空間１３と屋外との連通を開閉する換気部として例えば強制換気装置１８が設けられている。強制換気装置１８は、小屋裏空間１３と屋外とを連通した排気路１８ａと、この排気路１８ａ中に少なくともファンが配置された電動式の換気扇１８ｂと、この換気扇１８ｂの好ましくは下流側に配置されて排気路１８ａを開閉する排気ダンパー１８ｃとを有して形成されている。強制換気装置１８等からなる換気部は、排気ダンパー１８ｃを備えない構成でもよい。更に、換気部は、手動又は電動により開閉されてその開放により自然換気をする排気ダンパーであってもよく、更に、ドレーキップ窓や天窓などの開口部開閉要素のような通常の建具も包含する。
【００３１】
外側通気路１６は、断熱層１５と壁体１１の外装材１４及び屋根材との間にこれらに沿って形成されている。なお、図７中符号２０は、外側通気路１６を作るために断熱層１５と外装材１４とで挟まれた縦胴縁を示している。外側通気路１６の下端１６ａは、常時開口されていて、屋外の大気中に連通されている。屋根１２の上部には屋外に連通されるように開放された排気部１９が設けられていて、この排気部１９に外側通気路１６の上端部が連通されている。
【００３２】
壁体内通気路１７は、断熱層１５と居室５〜８との間にこれらに沿って形成されていて、床下空間２ａと小屋裏空間１３とを連通している。この壁体内通気路１７は、階下側通気路部分２１と、階上側通気路部分４１と、階上の重みを受ける後述の床組構造５１に両通気路部分２１，４１を連通して設けられた連通路７１又は７２とで形成されている。
【００３３】
階下側通気路部分２１及び階上側通気路部分４１は、いずれもツーバイフォー工法又はツーバイシックス工法等に代表される枠組壁に形成されている。
【００３４】
すなわち、１階居室５又は６を画する階下の枠組壁２２は、垂直棒材である縦枠２３（図５参照）と、互に積層された水平棒材である上枠２４及び頭つなぎ２５（図４及び図５参照）と、垂直棒材である下枠２６（図３参照）とからなる四角形の枠体の一面に垂直面材である外装パネル２７を装着し、かつ、前記枠体の他面に垂直面材である耐火性内被材として例えば石膏ボード２８を装着して形成されている。枠組壁２２は、その外装パネル２７を断熱層１５の下部内面に接触させ立てて設置されている。この枠組壁２２の石膏ボード２８は１階居室５又は６に臨んでいる。
【００３５】
こうして１階居室５又は６を区画して設置された枠組壁２２の上枠２４に、複数の通気部例えば通気孔２４ａ（図４及び図８参照）が上枠２４の長手方向に沿って間隔的に設けられている。頭つなぎ２５に、複数の通気部例えば通気孔２５ａ（図４及び図８参照）が頭つなぎ２５の長手方向に沿って間隔的に設けられている。通気孔２４ａ,２５ａは相対向して連通している。枠組壁２２の下枠２６にも、複数の通気部例えば通気孔２６ａ（図３参照）が下枠２６の長手方向に沿って間隔的に設けられている。これらの通気孔２４ａ、２５ａ、２６ａにより枠組壁２２の内部空間と外部とが連通されている。各通気孔２４ａ、２５ａ、２６ａと枠組壁２２の内部空間とによって、枠組壁２２に対し上下方向への通気を可能とする階下側通気路部分２１が形成されている。
【００３６】
この階下側通気路部分２１の下端の出入り口をなす下枠２６の通気孔２６ａは、前記床下空間２ａに連通されている。この場合、図３に示すように１階居室５,６を基礎２上の土台２９に支える基礎側床組構造に設けた通気路を通して通気孔２６ａが床下空間２ａに連通されている。基礎側床組構造の通気路は、端根太や側根太等の外側床下支持材３０と、この内側に間隔的に配置される複数のパッキンを挟んで連結された転び止めや床受け根太等の内側床下支持材３１との間に形成された通気間隙３２と、下枠２６の下面に重なった１階居室５,６の床板延長部に通気孔２６ａに連通して設けた孔３３と、内側床下支持材３１に通気間隙３２と連通して設けた孔３４とで形成されている。なお、土台２９が通気間隙３２を塞がない場合には、この通気間隙３２と床下空間２ａとが直接連通するので、孔３４は省略できる。
【００３７】
図４に示すように枠組壁２２の上端部は、１階居室５又は６の天井３５より高い位置にある。天井３５は、耐火性であって、その裏面（上面）はロックウールなどの耐火性吸音材３５ａで被われている。
【００３８】
階上側通気路部分４１は前記階下側通気路部分２１と同様な構成である。すなわち、２階居室７又は８を画する階上の枠組壁４２は、縦枠２３の上方に後述する床組構造を介して連続的に配置される垂直棒材である縦枠４３（図８参照）と、互に積層された水平棒材である上枠４４及び頭つなぎ４５（図２参照）と、水平棒材である下枠４６（図４及び図８参照）とからなる四角形の枠体の一面に垂直面材である外装パネル４７を装着し、かつ、前記枠体の他面に垂直面材である耐火性内被材として例えば石膏ボード４８を装着して形成されている。枠組壁４２は、その外装パネル４７を断熱層１５の上部内面に接触させ立てて設置されている。この枠組壁４２の石膏ボード４８は２階居室７又は８に臨んでいる。
【００３９】
こうして２階居室７又は８を区画して設置された枠組壁４２の上枠４４に、複数の通気部例えば通気孔４４ａ（図２参照）が上枠４４の長手方向に沿って間隔的に設けられている。頭つなぎ４５に、複数の通気部例えば通気孔４５ａ（図２参照）が頭つなぎ４５の長手方向に沿って間隔的に設けられている。通気孔４４ａ,４５ａは相対向して連通している。枠組壁４２の下枠４６にも、複数の通気部例えば通気孔４６ａ（図４参照）が下枠４６の長手方向に沿って間隔的に設けられている。これらの通気孔４４ａ、４５ａ、４６ａにより枠組壁４２の内部空間と外部とが連通されている。各通気孔４４ａ、４５ａ、４６ａと枠組壁４２の内部空間とによって、枠組壁４２に対し上下方向への通気を可能とする階上側通気路部分４１が形成されている。
【００４０】
枠組壁４２の上枠４４の上端部には、２階居室７又は８の耐火性天井４９が横方向に連続している。階上側通気路部分４１の上端の出入り口をなす頭つなぎ４５の通気孔４５ａは、小屋裏空間１３に連通している。なお、図２中符号５０は転び止めを示している。
【００４１】
次に、図４から図８を参照して１階居室５,６と２階居室７，８との間に構築されて階上の重みを受ける床組構造５１を説明する。この床組構造５１は、床根太５２、端根太５３、転び止め５４、複数のスペーサ（なお、パッキンと称することも可能である。）５５、側根太５６、床受け根太５７、及び複数のスペーサ（なお、パッキンと称することも可能である。）５８等を備えている。
【００４２】
端根太５３と側根太５６とは四角に枠組みされている。この枠内に複数の床根太５２及びこれら床根太５２群の両側に配置される床受け根太５７が互に平行に配置され、これら床根太５２及び床受け根太５７の長手方向両端は端根太５３に夫々連結されている。図５〜図７中符号６１〜６３は連結金物例えば金釘を示している。金釘６１の打ち込みによって端根太５３と側根太５６とが連結されている。金釘６２の打ち込みによって端根太５３と床根太５２とが連結されている。金釘６３の打ち込みによって端根太５３と床受け根太５７とが連結されている。床受け根太５７は側根太５６の内側に接近して側根太５６と平行に配置される。
【００４３】
複数の転び止め５４は夫々端根太５３の内側に接近して端根太５３と平行に配置されている。これらの転び止め５４の両端は、連結金物である金釘６４の打ち込みによって床根太５２に連結され、一部の転び止め５４は、連結金物である金釘６４，６５の打ち込みによって床受け根太５７とこれに対向した床根太５２に連結されている。
【００４４】
一方のスペーサ５５は、端根太５３と転び止め５４との間に挟まれて、これら端根太５３と転び止め５４に連結金物である金釘６６の打ち込みによって連結されている。この連結により、スペーサ５５の厚みに相当する隙間からなり上下両端が開放された複数の連通路７１が、端根太５３と転び止め５４との間に形成されている。他方のスペーサ５８は、側根太５６と床受け根太５７との間に挟まれて、これら側根太５６と床受け根太５７に連結金物である金釘６７の打ち込みによって連結されている。この連結により、スペーサ５８の厚みに相当する隙間からなり上下両端が開放された複数の連通路７２が、側根太５６と床受け根太５７との間に形成されている。端根太５３と転び止め５４との連結が金釘６６で維持されるとともに、側根太５６と床受け根太５７との連結が金釘６７で維持されることにより、床組構造５1の強度が保持される。
【００４５】
スペーサ５５，５８は、金釘６６，６７を打ち込み可能であって、熱収縮が木材に比較して小さくかつ金属より熱伝導性が小さい耐熱材料で形成することが好ましい。こうしたものとして防耐火性能を有する材料、例えば無機質材料を主とする材料、具体的には石膏ボード、珪酸カルシウム板、スラグ石膏ボードなどを好適に用いることができる。なお、本実施形態では後述の熱膨張材を備える関係から、金属より熱伝導性が小さい無機質材料以外の材料例えば木材でスペーサ５５，５８を形成することもできる。この場合、スペーサ５５，５８が所定時間高温に晒されても、連結金物６７，６８を連通路７１又は７２に露出させないだけの燃え代を予め考慮した大ききに形成した木製スペーサを用いればよい。
【００４６】
本実施形態においてスペーサ５５，５８は、図８の例で代表して示すように床根太５２の幅寸法と略同じ長さを有した短冊状をなしていて、端根太５３及び転び止め５４、又は側根太５６及び床受け根太５７の長手方向と交差、好ましくは直交する方向に延びて設けられている。これにより、連通路７１はスペーサ５５に沿って上下方向に延びて形成され、同様に連通路７２はスペーサ５８に沿って上下方向に延びて形成されている。
【００４７】
床組構造５１は１階居室５,６と２階居室７，８との間に設けられて、その床根太５２及び床受け根太５７の中間部を除いた枠状部は、住宅１の外周に沿って水平方向に置かれる。この床組構造５1はこれを上下から挟む階下側通気路部分２１と階上側通気路部分４１とに釘打ち等によって連結されている。図５中符号６８で階下側通気路部分２１の頭つなぎ２５は打ち込まれた金釘を示す。又、床根太５２及び床受け根太５７の中間部は２階居室７，８の床板７５を支持する。したがって、床組構造５１の連通路７１をスペーサ５５とともに形成する端根太５３及び転び止め５４、並びに連通路７２をスペーサ５８とともに形成する側根太５６及び床受け根太５７は、いずれも階上の重みを階下側通気路部分２１とともに受ける支持材として機能している。
【００４８】
床組構造５１の周部にこれを上下から挟んで連結された階下側通気路部分２１と階上側通気路部分４１とは、床組構造５１周部の連通路７１又は７２を介して連通されている。そして、２階居室7,８の床板７５の延長部分が、階上側通気路部分４１の下枠４６と床組構造５１の周部上面との間に挟まれているので、この延長部分には、通気孔４６ａと対向して連通路７１又は７２と階上側通気路部分４１とを連通する通気部である通気孔７５ａが設けられている。
【００４９】
以上のように階上の重みを受ける支持材を利用して階下側通気路部分２１と階上側通気路部分４１とが連通された状態を図４及び図８に示す。図８で代表するように、スペーサ５５又は５８は、通気孔２４ａ,２５ａ及びこの真上に対向した通気孔７５ａ、４６ａを塞がないように位置をずらして設けられている。
【００５０】
金属より熱伝導性が小さい熱膨張材としても機能する閉塞要素８１又は８２が、連通路７１,７２の例えば下部に設けられている。閉塞要素８１,８２は、所定温度以下では連通路７１又は７２を開いた状態に維持し、所定温度を超える温度では連通路７１又は７２を閉じるように発泡膨張するものであって、本実施形態では未発泡の耐火性発泡剤を使用している。
【００５１】
この発泡剤としては、炭化成分、炭化促進剤、発泡主剤、及びバインダ、そして必要に応じて添加される可塑剤、並びに充填剤を含む耐熱性樹脂組成物を例示できる。炭化成分はカーボンを生成させる主成分である。炭化促進剤は炭化成分のカーボン化を促進させる成分である。発泡主剤は発泡を担う主成分である。バインダは前記各材料を結合して耐熱性樹脂組成物の物性を改善するものである。そして、可塑剤は、耐熱性樹脂組成物に柔軟性を付与して塗膜の成形性を高める機能を有し、充填剤は、耐熱性樹脂組成物の不燃性を高めかつ発泡密度を高める機能を有する。
【００５２】
この耐火性発泡剤からなる閉塞要素８１,８２は、テープ基材に発泡剤の層を塗布してなるテープ好ましくは接着テープ、或いは発泡剤そのものからなるテープ、又は塗膜の形で連通路７１又は７２の内面に設けられる。閉塞要素８１,８２の厚みは１mm程度でよいため、この閉塞要素８１,８２によって連通路７１又は７２の流路断面積が減ることは実質的に無視でき、壁体内通気に必要な流路断面積を確保できる。
【００５３】
未発泡の耐火性発泡剤からなる閉塞要素８１,８２は、支持材をなす木材の耐熱温度以下の所定温度で発泡して、この発泡を完了する性能を有している。前記発泡を開始する温度は、例えば６０℃〜２５０℃、好ましくは２００℃〜２５０℃であり、この温度を超える温度では発泡が完了して、この発泡により、連通路７１又は７２を通る通気が実質的に遮断されるようになっている。なお、閉塞要素８１,８２をなす発泡剤には、前記例示のものの他に、熱で燃えて、膨らんで、この膨らみ状態で固体となる一般市販品を用いることができる。
【００５４】
本実施形態は閉塞要素８１,８２にテープ基材に発泡剤の層を塗布してなるテープを使用している。閉塞要素８１は、図７及び図８に示されるように端根太５３の長手方向に連続して延びて端根太５３に接着されているとともに、端根太５３とこれに釘打ちされた床根太５２及び床受け根太５７の端面との間、並びに端根太５３とこれに釘打ちされたスペーサ５５との間に夫々挟設されている。閉塞要素８２は、図５に示されるように側根太５６の長手方向に延びて側根太５６に接着されているとともに、この側根太５６とこれに釘打ちされたスペーサ５８との間に挟設されている。
【００５５】
前記構成を備えた住宅１の壁体１１は、階上の重みを受ける床組構造５１の複数の相対向した支持材、つまり、住宅１の外周に沿って水平方向に置かれた端根太５３と転び止め５４と、これらに挟まれかつ金釘６６で打ち付けられたスペーサ５５とにより形成された連通路７１を有しているとともに、同じく床組構造５１の複数の相対向した支持材、つまり、住宅１の外周に沿って水平方向に置かれた側根太５６と床受け根太５７と、これらに挟まれかつ金釘６７で打ち付けられたスペーサ５８とにより形成された連通路７２とを有している。そして、これらの連通路７１，７２で壁体内通気路１７の階下側通気路部分２１と階上側通気路部分４１とを連通したので、断熱層１５の内側で階上の重みを受ける部分を通る壁体内通気が可能である。なお、連通路７１，７２回りでの通気の経路を図８で代表して、同図中に点線矢印で示す。
【００５６】
この住宅１は、夏場は、床下ダンパー４を開放するとともに、強制換気装置１８の排気ダンパー１８ｃを開けて換気扇１８ｂを運転して使用される。これにより、外被材の内側に配置された断熱層１５で外断熱をしつつ、この断熱層１５の外側の外側通気路１６による外側通気と、断熱層１５の内側の壁体内通気路１７による内側通気とが行われる。
【００５７】
自然換気による外側通気で、外側通気路１６の下端１６ａの開口から取込まれた屋外空気が、外側通気路１６を上昇して屋根１２の排気部１９から屋外に排出される。この外側通気により住宅１の外郭内での排熱及び排湿がなされる。
【００５８】
一方、強制換気装置１８の換気力によって、床下換気口３から床下空間２ａに吸い込まれた空気は、この床下空間２ａで冷やされた空気と混じり合ってから、壁体内通気路１７の階下側通気路部分２１に吸込まれて上昇し、この階下側通気路部分２１から床組構造５１の連通路７１，７２を通って階上側通気路部分４１に吸込まれて、ここから小屋裏空間１３に吸込まれた後に、強制換気装置１８を通って屋外に排気される。これにより、壁体内通気路１７を通って小屋裏空間１３に集まった熱気や湿気が屋外に逃がされて、居室５〜８の温度上昇が抑えられるので、夏場でのより良好な居住性・快適性を確保できる。
【００５９】
前記住宅１は、冬場は、床下ダンパー４を閉じるとともに、強制換気装置１８の排気ダンパー１８ｃを閉じて換気扇１８ｂの運転を停止して使用される。これにより、外被材の内側に配置された断熱層１５で外断熱をしつつ、この断熱層１５の外側での外側通気路１６による外側通気と、断熱層１５の内側での自然循環による通気が行われる。断熱層１５の内側での自然循環による通気は、日射を受けている側では断熱層１５の内側の空気が暖められて上昇し、日陰となっている側では断熱層１５の内側の空気が冷たくなって下降することにより形成され、断熱層１５の内側の暖気は屋外に排気されない。これにより、居室５〜８が暖かい環境に置かれて、冬場での良好な居住性・快適性を確保できる。
【００６０】
以上のように断熱層１５の内側で壁体内通気ができる住宅１が火災に遭った際、万一、屋外や居室内の火炎が壁体内に侵入した場合には、壁体内通気路１７を火炎が上昇しようとするので、連通路７１，７２が高温に晒されることがあるが、それにも拘わらず金釘を高温から保護して住宅１の強度を保持できる。
【００６１】
すなわち、金釘６６，６７は連通路７１，７２を確保するスペーサ５５，５８を通って打ち付けられていて、連通路７１，７２には露出していない。このため、火災発生時等に連通路７１，７２が火炎などにより高温環境となっても、スペーサ５５，５８によって金釘６６，６７が高温に晒されないようにできる。
【００６２】
この場合、スペーサ５５を挟んだ支持材である端根太５３と転び止め５４の内、少なくとも端根太５３と転び止め５４とは温度上昇により乾燥して熱収縮することがある。しかし、連通路７１内の温度雰囲気が所定の高温状態になると、閉塞要素８１が発泡膨張して、端根太５３とスペーサ５５との間が膨張する閉塞要素８１で埋められるとともに、熱膨張材として機能する閉塞要素８１がスペーサ５５を転び止め５４に押し付けるため、端根太５３とスペーサ５５との間及びスペーサ５５と転び止め５４との間に隙間が形成されることが抑制される。このため、スペーサ５５とこれを挟む端根太５３及び転び止め５４との間を通して高温が金釘６６に及ぶことを抑制できる。又、スペーサ５５は金属より遥かに低熱伝導性であるので、このスペーサ５５を介して連通路７１内の高熱が金釘６６に伝導することも抑制できる。
【００６３】
こうした事情はスペーサ５８を挟んだ支持材である側根太５６と床受け根太５７と、これらを連結した金釘６７との関係においても同じである。つまり、スペーサ５８と側根太５６と床受け根太５７との内で少なくとも側根太５６と床受け根太５７とは温度上昇により乾燥して熱収縮することがある。しかし、連通路７２内の温度雰囲気が所定の高温状態になると、閉塞要素８２が発泡膨張して、側根太５６とスペーサ５８との間が膨張する閉塞要素８２で埋められるとともに、熱膨張材として機能する閉塞要素８２がスペーサ５８を床受け根太５７に押し付けるため、側根太５６とスペーサ５８との間及びスペーサ５８と床受け根太５７との間に隙間が形成されることが抑制される。このため、スペーサ５８とこれを挟む側根太５６と床受け根太５７との間を通して高温が金釘６７に及ぶことを抑制できる。又、スペーサ５８は金属より遥かに低熱伝導性であるので、このスペーサ５８を介して連通路７２内の高熱が金釘６７に伝導することも抑制できる。
【００６４】
こうして金釘６６，６７が高温によって異常に伸びたり溶けたりする等、金釘６６，６７の熱劣化が抑制できる。この結果、階上の重みを受ける床組構造５１の枠状周部の強度低下が抑制されるので、火災発生時等に連通路７１，７２が高温環境に晒されても、住宅１の強度を保持して、火災時において例えば階上の窓などが脱落する恐れをなくしたり、火災後に住宅１が異常にゆがんだ状態とならないように抑制可能である。
【００６５】
加えて、床根太５２又は側根太５６の長手方向に沿って連続して伸びている閉塞要素８１，８２が高温時に既述のように発泡膨張することにより、これら閉塞要素８１，８２より上方位置で打ち込まれている金釘が高温に晒されないようにできる。この点においても、住宅１の強度を保持する上で有効である。
【００６６】
又、既述のように連通路７１，７２の内部が所定温度を超えると、閉塞要素８１，８２が発泡膨張するので、発泡した閉塞要素８１，８２で連通路７１，７２を塞いで、この連通路７１，７２を通る通気及び火炎を断つことができる。これにより、連通路７１，７２の上方への火災の延焼を抑制できる。
【００６７】
連通路７１は、床組構造５１の周部を構成するための部材である端根太５３、転び止め５４、及びスペーサ５５を利用して形成され、同様に連通路７２も、床組構造５１の周部を構成するための部材である側根太５６、床受け根太５７、及びスペーサ５８を利用して形成されている。このように規制された通気断面積を確保する連通路７１，７２が階上の重みを受ける床組構造５１の周部に形成されていて、規制された通気断面積を確保するための部材、及びこの部材を取付ける手間を要することがなく、したがって、壁体１１の組立工数も削減できるので、工期やコストも低減できる。
【００６８】
しかも、階上の重みを受ける床組構造５１の周部は変形などを起こしづらいように夫々強固に作られているため、連通路７１，７２の通気断面積が経年変化などにより変わることが殆どない。したがって、火災における閉塞要素８１，８２の発泡膨張によって連通路７１，７２の通気を断つ性能が優れている。
【００６９】
更に、火災に伴い所定温度以上で発泡膨張する閉塞要素８１，８２は、床根太５２又は側根太５６の長手方向に沿って連続して伸びていて、閉塞要素支持材として機能する床根太５２とスペーサ５５との間、又は同じく閉塞要素支持材として機能する側根太５６とスペーサ５８との間に挟まれている。言い換えれば、床組構造５１の周部を構成するための部材を利用して閉塞要素８１，８２を所定位置に取付け保持しているので、その所定位置への保持性能に優れ、数十年にわたる長期の経過に拘わらず閉塞要素８１，８２が脱落する恐れがない。このため、火災時において確実に閉塞要素８１，８２を機能させて、連通路７１，７２を通る通気及び火炎を断つことができる。
【００７０】
以上説明したように本実施形態の住宅１は、階上の重さを受ける床組構造５１の周部に、この周部を形成する部材を利用して形成された連通路７１，７２により、階下側通気路部分２１と階上側通気路部分４１とを連通させて、断熱層１５の内側での壁体内通気路１７を確保しつつ、火災中及び消火後においても床組構造５１の周部の強度を保持できるとともに、火災時には連通路７１，７２を通る通気を遮断して住宅１の防耐火性能を得ることができる。
【００７１】
図９は本発明の第２実施形態を示している。この実施形態は、基本的には第１実施形態と同じであるので、同じ構成については第１実施形態と同じ符号を付してその説明を省略し、以下、第１実施形態とは異なる点を説明する。
【００７２】
第２実施形態では、スペーサ５５が、上下方向の配置ではなく、支持材である端根太５３と転び止め５４（いずれも図９では図示されない）との間に、水平方向に置いて配置されている。こうして配置されたスペーサ５５の下側面は通気孔２５ａと対向し、スペーサ５５の上側面は通気孔４６ａと対向している。更に、スペーサ５５の端と床根太５２又は床受け根太５６（図９では図示されない）との間隔Ａは、良好なファイアストップ作用を得るために（５〜５０）ｍｍ、好ましくは（３０±５）ｍｍにするとよい。こうしたスペーサ５５の配置に関連して、閉塞要素８１は、これを端根太５３との間に挟むスペーサ５５と略同じ高さ位置に配置されている。又、図９には示されないスペーサ５８及び閉塞要素８２の配置についても同様である。なお、以上説明した点以外の構成は第１実施形態と同じである。
【００７３】
したがって、この第２実施形態でも、第１実施形態と同様な作用により本発明の課題を解決できる。しかも、第２実施形態では横配置のスペーサ５５,５８を、火炎が上方に真っ直ぐ通ることを妨げるファイアストップ材として機能させることができる点で好ましい。なお、各連通路回りでの通気の経路を、図８に示した連通路７１で代表し、同図中に点線矢印で示す。又、第２実施形態では、支持材である端根太５３及び転び止め５４とスペーサ５５との間に閉塞要素８１，８２の一部が挟まれていて、この閉塞要素８１，８２を挟んだ部分を通って連結金物である金釘６６が打ち込まれているので、万が一の火炎の壁体内侵入の際に、スペーサ５５及び高温により発泡膨張して炭化する閉塞要素８１，８２によって、金釘６６の高熱に対する保護作用をより効果的に発揮させることができる点で優れている。又、端根太５３及び転び止め５４とスペーサ５５との間に挟まれた閉塞要素８１，８２の一部は、その発泡膨張により熱膨張材として機能し、この一部を挟んだ部材の熱収縮に拘わらず、これらの部材間に隙間ができることを防止できる。
【００７４】
図１０及び図１１は本発明の第３実施形態を示している。この実施形態は、基本的には第１実施形態と同じであるので、同じ構成については第１実施形態と同じ符号を付してその説明を省略し、以下、第１実施形態とは異なる点を説明する。
【００７５】
第３実施形態では、連通路７１、７２（なお、以下連通路７１で代表する。）を住宅１の外周に沿って水平方向に置かれて階上の重みを受ける複数の相対向した支持材と、これら支持材間に連結金具で打ち付けて挟設したスペーサとで構成することに代えて、単一の支持材の一側面に連結金具でスペーサを打ち付けることによって設けている。
【００７６】
すなわち、図１０及び図１１中符号９１は住宅１の外周に沿って水平方向に置かれて階上の重みを受ける支持材として機能する胴差しであり、この内側面には床根太５２及び図示しない床受け根太が金釘６２等により固定されている。胴差し９１の外側面には、金釘６６で打ち付けられたスペーサ５５が胴差し９１の長手方向に間隔的に固定されている。これらスペーサ５５は外装パネル２７又は４７の延出部２７ａ又は４７ａに接している。このため、外装パネル２７又は４７の延出部と、胴差し９１の外側面と、スペーサ５５とによって、上下両端が開放された複数の連通路７１が形成されている。これに合わせて、連通路７１の下端に連通する上枠２４及び頭つなぎ２５の通気部は、いずれも切り欠かれた通気溝２４ｂ、２５ｂで形成されているとともに、連通路７１の上端に連通する下枠４６及び床板７５の通気部は、いずれも切り欠かれた通気溝４６ｂ、７５ｂで形成されている。そして、連通路７１に臨む閉塞要素８１が、胴差し９１の外側面に沿って連続して延びて、この外側面とスペーサ５５とで挟設されている。又、図１０及び図１１には示されないがスペーサ５８に沿って形成される連通路７２側についても同様である。なお、以上説明した点以外の構成は第１実施形態と同じである。
【００７７】
したがって、この第３実施形態でも、第１実施形態と同様な作用により本発明の課題を解決できる。
【００７８】
図１２は本発明の第４実施形態を示している。この実施形態は、基本的には第３実施形態と同じであるので、同じ構成については第３実施形態と同じ符号を付してその説明を省略し、以下、第３実施形態とは異なる点を説明する。
【００７９】
第４実施形態では、スペーサ５５が単一部材で作られている。このスペーサ５５は、支持材として機能する例えば胴差し９１と同じ長さであり、一側面に長手方向に沿って間隔的に複数の凸部５５ａとこれに隣接する複数の溝５５ｂを有している、溝５５ｂの上下両端は夫々開放されている。このスペーサ５５は、各凸部５５ａの先端面を胴差し９１の一側面に接触させて、床根太５２と対応する位置の凸部５５ａを通って床根太５２に打ち込まれた連結金物である金釘６２により、胴差し９１に固定されている。又、他の凸部５５ａには、スペーサ５５と胴差し９１とを更に固定する金釘６６が打ち込まれている。胴差し９１へのスペーサ５５の固定により、スペーサ５５と胴差し９１との間に上下両端が開放された複数の連通路７１が形成されている。スペーサ５５の凹凸を有さない平坦な他側面は、外装パネル２７ａ（又は４７ａ）の延出部に接触する。そして、閉塞要素８１が、胴差し９１の外側面に沿って連続して延びて、この外側面とスペーサ５５の凸部５５ａとで挟設されている。閉塞要素８１の非挟設部分は連通路７１に臨んでいる。又、図１２には示されないが他の連通路７２側についても同様である。なお、以上説明した点以外の構成は第３実施形態と同じである。
【００８０】
したがって、この第４実施形態でも、第３実施形態と同様な作用により本発明の課題を解決できる。
【００８１】
図１３は本発明の第５実施形態を示している。この実施形態は、基本的には第３実施形態と同じであるので、同じ構成については第３実施形態と同じ符号を付してその説明を省略し、以下、第３実施形態とは異なる点を説明する。
【００８２】
第５実施形態では、支持材として機能する例えば胴差し９１にスペーサ５５として機能する凸部５５ｃが一体に設けられている。すなわち、外装パネル２７ａ（又は４７ａ）寄りの胴差し９１の一側面は、胴差し９１の長手方向に沿って間隔的に複数の凸部５５ｃとこれに隣接して連通路７１として機能する複数の溝５５ｄとを有している。溝５５ｄの上下両端は夫々開放されている。胴差し９１の内側面には、床根太５２が、これと対応する位置の凸部５５ｃを通って打ち込まれた連結金物である金釘６２により固定されている。各凸部５５ｃの先端面は外装パネル２７ａ（又は４７ａ）接触されている。胴差し９１と外装パネル２７ａ（又は４７ａ）間に前記溝５５ｄからなる上下両端が開放された複数の連通路７１が形成されている。そして、閉塞要素８１が、外装パネル２７ａに沿って水平方向に連続して延びて、この外装パネル２７ａと胴差し９１の凸部５５ｃとで挟設されている。閉塞要素８１の非挟設部分は連通路７１に臨んでいる。又、図１３には示されないが他の連通路７２側についても同様である。なお、以上説明した点以外の構成は第３実施形態と同じである。
【００８３】
したがって、この第５実施形態でも、第３実施形態と同様な作用により本発明の課題を解決できる。
【００８４】
本発明は前記各実施形態には制約されない。例えば、第１，第２実施形態において、閉塞要素８１（又は８２）は、スペーサ５５（又は５８）と内側の支持材である転び止め５４（又は床受け根太５７）との間に挟設することもでき、或いはスペーサ５５（又は５８）の両側に配置して、既述のように挟設することができる。同様に、第３実施形態において、閉塞要素８１（又は８２）は、スペーサ５５（又は５８）と外装パネルとの間に挟設することもでき、或いはスペーサ５５（又は５８）の両側に配置して、既述のように挟設することができる。
【００８５】
又、前記各実施形態では、床下空間と小屋裏空間とにわたる通気経路の中で、壁体内通気路の高さ方向中間位置に配置した連通路によって、壁体内通気路の上下に隣接した壁体内通気路部分同士を連通させたが、本発明は、壁体内通気路と床下空間とを連通させるために、壁体内通気路の高さ方向下端に連通路を配置して実施することも可能であり、又、壁体内通気路と小屋裏空間とを連通させるために、壁体内通気路の高さ方向上端に連通路を配置して実施することも可能である。
【００８６】
又、本発明は、枠組壁を用いないで断熱層の内側に壁体内通気路を形成した住宅、外側通気路を有さないで断熱層の内側に壁体内通気路を形成した住宅等の建物にも適用可能である。
【図面の簡単な説明】
【００８７】
【図１】本発明の第１実施形態に係る壁体を備えた住宅を示す概略断面図。
【図２】図１の住宅が備えた壁体の小屋裏回りを示す断面図。
【図３】図１の住宅が備えた壁体の床下回りを示す断面図。
【図４】図１の住宅が備えた床組構造回りを示す断面図。
【図５】図４の床組構造を示す斜視図。
【図６】図５の床組構造を示す横断平面図。
【図７】図６の床組構造の一部を拡大して示す横断平面図。
【図８】図７中Ｆ８−Ｆ８線に沿って示す断面図。
【図９】本発明の第２実施形態に係る壁体を備えた住宅の床組み構造を示す図８相当の断面図。
【図１０】本発明の第３実施形態に係る壁体を備えた住宅の床組み構造を示す図４相当の断面図。
【図１１】図１０中Ｆ１１−Ｆ１１線に沿って示す横断平面図。
【図１２】本発明の第４実施形態に係る壁体を備えた住宅の図１１相当の断面図。
【図１３】本発明の第５実施形態に係る壁体を備えた住宅の図１１相当の断面図。
【符号の説明】
【００８８】
１…住宅
２ａ…床下空間
１１…壁体
１３…小屋裏空間
１５…断熱層
１７…壁体内通気路
２１…階下側通気路部分
２２…階下用の枠組立
２３…縦枠
２４…上枠
２５…頭つなぎ
２６…下枠
２４ａ,２５ａ,２６ａ…通気孔（通気部）
３３……通気孔（通気部）
４１…階上側通気路部分
４２…階上用の枠組立
４３…縦枠
４４…上枠
４５…頭つなぎ
４６…下枠
４４ａ,４５ａ,４６ａ…通気孔（通気部）
５１…床組構造
５２…床根太
５３…端根太（支持材）
５４…転び止め（支持材）
５５…スペーサ
５５ａ…スペーサの凸部
５５ｂ…スペーサの溝
５５ｃ…スペーサとして機能する凸部
５５ｄ…連通路として機能する凸部
５６…側根太（支持材）
５７…床受け根太（支持材）
５８…スペーサ
６１〜６７…金釘（連結金物）
７１，７２…連通路
７５ａ…連通孔
８１，８２…閉塞要素（熱膨張材）
【図１】
2005290693.tif 000003
【図２】
2005290693.tif 000004
【図３】
2005290693.tif 000005
【図４】
2005290693.tif 000006
【図５】
2005290693.tif 000007
【図６】
2005290693.tif 000008
【図７】
2005290693.tif 000009
【図８】
2005290693.tif 000010
【図９】
2005290693.tif 000011
【図１０】
2005290693.tif 000012
【図１１】
2005290693.tif 000013
【図１２】
2005290693.tif 000014
【図１３】
2005290693.tif 000015